(57)【特許請求の範囲】
【請求項１】
駆動レバーに回転可能に連結された爪が爪ばねのばね力で駆動レバーと一緒に動いて球払出体と一緒に回転し得るように設けられた爪車に係合したり解除することにより、球払出体が球払出阻止と球払出許可との形態となる一方、
前記爪ばねが前記爪に設けられたレバー受止部と前記駆動レバーに設けられた爪受止部とに係留され、前記爪ばねが前記レバー受止部と爪受止部とを互いに近づける方向のばね力を前記爪及び前記駆動レバーに与えることにより、爪車に係合する際の爪のバックラッシュが吸収される遊技機の球払出装置において、
球払出阻止中における爪と爪車との係合が外れないように爪を押えるストップ機構を設けたことを特徴とする遊技機の球払出装置。
【請求項２】
ストップ機構を駆動レバーの駆動源に連結したことを特徴とする請求項１記載の遊技機の球払出装置。
【発明の詳細な説明】
【０００１】
【発明の属する技術分野】
本発明はパチンコ機やスロットマシン等の球を遊技媒体として使用する遊技機の球払出装置に関する。
【０００２】
【従来の技術】
図３は従来の遊技機における球払出装置を示し、電磁ソレノイド１１に連結体１３や駆動レバー１８及び爪ばね２３等を介して連結された爪２１が球払出体６に一緒に回転し得るように設けられた爪車２６に係合して球払出体６を停止することによって、球４を球通路１に突出した球払出体６と球通路１の内壁面との共働により球通路１内に留置く。その状態において、電磁ソレノイド１１が励磁されてプランジャ１２を吸引し、プランジャ１２に連結体１３及びピン１９を介して連結された駆動レバー１８がレバー軸１７を中心として動作し、レバー軸１７を中心として回転し得る爪２１が爪ばね２３のばね力とレバー受止部２４と爪受止部２５との共同で駆動レバー１８と一緒に動き、爪２１と爪車２６との係合が解除されることにより、球払出許可の形態となる。そして、球払出体６より解放されて自重落下する球４は球検出器９で検出された後に払出される。その後、電磁ソレノイド１１が消磁されると、復帰ばね２９によりプランジャ１２が下方に突出し、爪２１が爪ばね２３のばね力で駆動レバー１８と一緒に動き、爪２１が爪車２６に係合する。この時、爪２１が爪ばね２３の撓みにより駆動レバー１８と別の動きをすることで、爪車２６に係合する際の爪２１のバックラッシュが吸収され、爪２１が爪車２６の所定位置に瞬時に係合する。これによって、球払出体６が停止し、球４が球払出体６で球通路１内に留置かれた球払出阻止の形態となる。
【０００３】
【発明が解決しようとする課題】
前記従来例において、球払出装置に対する不正行為を究明したところ、払出される球４数の精度を良くすることから、爪２１と駆動レバー１８とがバックラッシュ吸収手段たる爪ばね２３のばね力を受けた構造になっており、球払出阻止中において遊技者が球払出装置から払出された球４を受取る上皿装置の球４流入口よりピアノ線のような不正操作体を挿入して爪２１を爪車２６から解除する方向に操作した場合、球払出装置より上皿装置に球４が不正に払出されてしまうことが判明した。
【０００４】
そこで、本発明は、球払出阻止中における爪の爪車からの解除防止が図れる球払出装置を提供するものである。
【０００５】
本発明にあっては、駆動レバーに回転可能に連結された爪が爪ばねのばね力で駆動レバーと一緒に動いて球払出体と一緒に回転し得るように設けられた爪車に係合した球払出阻止中においては、ストップ機構が爪と爪車との係合が外れないように爪を押えることにより、不正操作体で爪を上方に回転操作して爪車から解除操作しようとしても、ストップ機構が爪の爪車からの解除を適切に防止することができる一方、爪が爪ばねのばね力で駆動レバーと一緒に動いて爪車より解除する球払出許可に際してはストップ機構が爪より先に外れることより、球払出も適切に行うことができる。また、爪ばねが爪に設けられたレバー受止部と駆動レバーに設けられた爪受止部とに係留され、爪ばねがレバー受止部と爪受止部とを互いに近づける方向のばね力を爪及び駆動レバーに与えることにより、爪車に係合する際の爪のバックラッシュを吸収するので、爪が爪車の所定位置に適切に係合する。
又、本発明にあっては、ストップ機構を駆動レバーの駆動源に連結すれば、ストップ機構を動かすための専用の駆動源が不要で構造が簡単になる。
【０００６】
【発明の実施の形態】
図１及び図２は一実施形態であって、図１は球払出装置の球払出阻止形態を示し、図２は球払出装置の球払出許可形態を示す。図１において、球通路１は装置基体２に固定された通路ケース３によって球４を一列状に流下させるように囲み形成されていて多数の球４を一列のような整列状態で上方より下方に蛇行しながら誘導する形態であって、中間部より一側方に膨出する払出体収納部５を備え、払出体収納部５にスプロケットタイプの球払出体６を回転可能に備える。球払出体６は払出体収納部５に脱落防止状態で両支持された払出体軸７を中心として回転する周縁部に半円弧に形成された複数の凹部８を等間隔に備えていて、球通路１より数珠つなぎに流下する上方の球４と下方の球４とを凹部８に取込むことで互いに接触しないように切分けて球検出器９の方向に放出する部材である。
【０００７】
球払出体６は装置基体２に固定された駆動源としての電磁ソレノイド１１によって回転可能及び停止される。電磁ソレノイド１１はプランジャ１２の下端部に連結体１３をカップリング１４で連結する。カップリング１４よりも下方に突出した連結体１３は電磁ソレノイド１１のフレーム１５より突出したカップリング受止部１６を貫通する。カップリング受止部１６よりも下方に突出した連結体１３の下端部は装置基体２にレバー軸１７で回転可能に取付けられた駆動レバー１８の中間部にピン１９で回転可能に連結される。電磁ソレノイド１１の消磁によりプランジャ１２が自重落下し得る状態においては、カップリング１４がカップリング受止部１６で受止められることより、プランジャ１２のそれ以降の下降が停止する。連結体１３のレバー軸１７とは反対側の先端部には爪２１が爪軸２２で回転可能に連結される。
【０００８】
爪軸２２周りに嵌め込まれた渦巻きスプリングのような爪ばね２３の両端部が爪２１に設けられたレバー受止部２４と駆動レバー１８に設けられた爪受止部２５とに外側より襷掛け状に係留され、爪ばね２３がレバー受止部２４と爪受止部２５とを互いに近づける方向のばね力を駆動レバー１８と爪２１とに与えることにより、爪２１が爪車２６に係合する際に飛び跳ねを起こすことがないように爪ばね２３が機能する。駆動レバー１８の中間部と装置基体２とに掛け渡されたコイルスプリングのような復帰ばね２９は爪２１を球払出体６に一緒に回転するように設けられた爪車２６に係合する方向のばね力を駆動レバー１８に与える。
【０００９】
駆動レバー１８とカップリング受止部１６との間に位置する連結体１３の中間部には装置基体２にストッパ軸３１で回転可能に取付けられたストッパ３２の中間部にピン３３で回転可能に連結される。この実施形態ではストッパ３２より突出したピン３３が連結体１３に形成された横長孔３４に挿入されている。ストッパ３２のストッパ軸３１とは反対側で下方に曲がった先端部は爪軸２２に係合した爪２１の上縁部に形成された切欠部３５に挿入して爪２１が爪軸２２を中心として爪ばね２３のばね力に抗して無理やり上方に回転しないように押える。つまり、ストッパ３２やストッパ軸３１によりストップ機構３０を構成し、ストップ機構３０が球払出阻止中における爪２１と爪車２６との係合が外れないように爪２１を押える。この実施形態ではストップ機構３０のストッパ３２がピン３３や横長孔３４及び連結体１３を介して駆動レバー１８の駆動源である電磁ソレノイド１１のプランジャ１２に連結される。
【００１０】
球検出器９は払出体収納部５の下流側における通路ケース３に取付けられた光通過形のような検出器により形成されていて、球払出体６より解放されて通路ケース３の検出用孔３６を自重落下で通過する球４を１個ずつ検出する毎に球計数信号としての球検出信号を制御装置に出力する。球検出器９を通過した球４は遊技機の前側に設けられた上皿装置のような球受部品に払出される。
【００１１】
この実施形態の構造によれば、球払出装置を備えた図外の遊技機が設置される島設備の球補給装置から球払出装置の球通路１に供給される。その場合、電磁ソレノイド１１が消磁されていて、図１に示すように、爪２１が爪車２６に係合して球払出体６を停止している。この停止中の球払出体６が上記供給された球４を球通路１の段差部４１との共働により球通路１内に留置く。この球４を球通路１内に留置く状態が球払出体６における球払出阻止の形態である。この球払出阻止中においては、ストッパ３２の先端部が爪軸２２に係合した爪２１の切欠部３５にロックしている。その結果、復帰ばね２９のばね力より遥かに小さなばね力を有する爪ばね２３に抗して不正操作体で爪２１を上方に回転操作して爪車２６から解除操作しようとしても、ストッパ３２にはストッパ３２やプランジャ１２及びピン３３等の総重量並びに復帰ばね２９の大きなばね力が働いており、爪２１の爪車２６からの解除が適切に防止される。
【００１２】
そして、電磁ソレノイド１１が遊技機における遊技進行に伴う賞球払出或いは遊技者による球貸操作に伴う貸球払出等の制御処理による制御装置からの球払出開始信号により励磁されてプランジャ１２を上方に吸引する。このプランジャ１２により、プランジャ１２と一緒に上昇する連結体１３がストッパ３２及び駆動レバー１８を持上げる。これによって、図２に示すように、ストッパ３２の先端部がストッパ軸３１を支点として上昇して爪２１の切欠部３５より逃げる一方、駆動レバー１８がレバー軸１７を支点として上昇し、爪２１が爪ばね２３のばね力で駆動レバー１８と一緒に動き、爪２１と爪車２６との係合が解除されることにより、球払出許可の形態となる。この球払出体６より解放されて自重落下する球４は球検出器９で検出された後に球通路１より上皿装置に払出される。
【００１３】
その後、制御装置が球検出器９から受信した球検出信号をカウントアップし、その計数値が上記球払出開始に対応する所定数に到達すると、制御装置が球払出停止信号を電磁ソレノイド１１に出力し、電磁ソレノイド１１が上記制御装置からの球払出停止信号により消磁され、復帰ばね２９によりプランジャ１２が下方に突出し、爪２１が爪ばね２３のばね力で駆動レバー１８と一緒に動き、爪２１が爪車２６に係合する。この時、爪２１が爪ばね２３の撓みにより駆動レバー１８と別の動きをすることで、爪車２６に係合する際の爪２１のバックラッシュが吸収され、爪２１が爪車２６の所定位置に適切に係合する。これによって、球払出体６が停止し、球４が球払出体６で球通路１内に留置かれた球払出阻止の形態となる。
【００１４】
要するに、この実施形態では、ストッパ軸３１とピン３３との間の距離がレバー軸１７とピン１９との間の距離よりも小さく設定されていて、プランジャ１２の移動量に対してストッパ３２の先端部が駆動レバー１８と一緒に動く爪２１の先端部よりも多く動くようになっており、プランジャ１２が下降した場合は爪２１の先端部が爪車２６に係合して球払出阻止となり、その状態において、ストッパ３２の先端部が爪２１を追いかけるように切欠部３５に位置することにより、爪２１の先端部が上昇して爪車２６より外れることがないようになる一方、プランジャ１２が上昇した場合はストッパ３２の先端部が切欠部３５より外れた後に、爪２１の先端部がストッパ３２を追いかけるように爪車２６より外れて球払出許可となる。
【図面の簡単な説明】
【図１】  実施形態に係る球払出装置の球払出阻止形態を示す模式図。
【図２】  実施形態に係る球払出装置の球払出許可形態を示す模式図。
【図３】  従来例を示す模式図。
【符号の説明】
６  球払出体、１１  電磁ソレノイド（駆動源）、１２  プランジャ、
１３  連結体、１７  レバー軸、１８  駆動レバー、２１  爪、２２  爪軸、
２３  爪ばね、２６  爪車、３０  ストップ機構、３１  ストッパ軸、
３２  ストッパ。
【図１】
0004514981.tif 000002
【図２】
0004514981.tif 000003
【図３】
0004514981.tif 000004